(57)【要約】【課題】  所定枚数の紙幣を重ね合わせて、紙幣束を生成し、生成された所定枚数の紙幣を含む紙幣束に結束テープを巻回して、帯封処理が施された紙幣束を生成する紙幣処理機であって、所望のように管理可能な紙幣束を生成することができる紙幣処理機を提供する。【解決手段】  紙幣をセットする紙幣入金口１０１と、紙幣が受け入れ可能か否かおよび紙幣の金種を判定するとともに、紙幣を計数する紙幣判別部１１０と、所定枚数の紙幣を集積する紙幣集積部１２０と、紙幣集積部によって集積された所定枚数の紙幣の周囲に、ＩＣチップとアンテナを内蔵したインレットが形成された結束テープを巻回して、帯封処理を施し、紙幣束を生成する帯封処理部１３１と、結束テープのインレット中のＩＣチップにＲＦＩＤデータを書き込むＲＦＩＤライター１３５とを備えた紙幣処理機。【選択図】      図１
2008046752.tif 000002
【特許請求の範囲】
【請求項１】
紙幣をセットする紙幣入金口と、紙幣が受け入れ可能か否かおよび紙幣の金種を判定するとともに、紙幣を計数する紙幣判別部と、所定枚数の紙幣を集積する紙幣集積部と、前記紙幣集積部によって集積された所定枚数の紙幣の周囲に、ＩＣチップとアンテナを内蔵したインレットが形成された結束テープを巻回して、帯封処理を施し、紙幣束を生成する帯封処理部と、前記結束テープの前記インレット中のＩＣチップにＲＦＩＤデータを書き込むＲＦＩＤライターとを備えたことを特徴とする紙幣処理機。
【請求項２】
前記ＲＦＩＤライターによって、前記結束テープの前記インレット中の前記ＩＣチップに書き込まれるＲＦＩＤデータが、少なくとも、紙幣束を構成する紙幣の金種および枚数を特定するデータを含んでいることを特徴とする請求項１に記載の紙幣処理機。
【請求項３】
前記インレットが、前記結束テープに所定の間隔で形成されていることを特徴とする請求項１または２に記載の紙幣処理機。
【請求項４】
前記インレットが、前記結束テープに一体的に形成されていることを特徴とする請求項１ないし３のいずれか１項に記載の紙幣処理機。
【請求項５】
前記インレットが、埋め込み、貼り付けおよび印刷よりなる群から選ばれる方法によって、前記結束テープに一体的に形成されていることを特徴とする請求項４に記載の紙幣処理機。
【請求項６】
前記インレットが、前記インレットが一体的に形成されたラベルを、前記結束テープに貼り付けることによって、前記結束テープに形成されていることを特徴とする請求項１ないし３のいずれか１項に記載の紙幣処理機。
【請求項７】
前記ＲＦＩＤライターが、前記帯封処理部内に設けられ、前記帯封処理部が、前記ＲＦＩＤライターから発信される周波数の電波を遮蔽するケーシングによって覆われていることを特徴とする請求項１ないし６のいずれか１項に記載の紙幣処理機。
【請求項８】
前記紙幣判別部が、紙幣の光学的特性を検出して、紙幣の光学データを生成する光学センサ手段と、前記光学センサ手段によって生成された紙幣の光学データに基づいて、紙幣が受け入れ可能か否かおよび紙幣の金種を判定するとともに、紙幣を計数する紙幣判別ユニットを備えたことを特徴とする請求項１ないし７のいずれか１項に記載の紙幣処理機。
【請求項９】
さらに、紙幣束を生成すべき紙幣の金種を指定する金種指定信号を入力可能な入力手段と、前記紙幣判別部の判別結果にしたがって、前記入力手段に入力された前記金種指定信号によって特定された金種の紙幣のみを、選択的に、前記紙幣集積部に送る選別手段を備えたことを特徴とする請求項１ないし８のいずれか１項に記載の紙幣処理機。
【請求項１０】
前記ＲＦＩＤライターが、前記紙幣集積部によって集積された所定枚数の紙幣の周囲に、前記結束テープを巻回して、帯封処理を施すのに先立って、前記結束テープの前記インレット中の前記ＩＣチップにＲＦＩＤデータを書き込むように構成されたことを特徴とする請求項１ないし９のいずれか１項に記載の紙幣処理機。
【請求項１１】
前記ＲＦＩＤライターが、前記紙幣集積部によって集積された所定枚数の紙幣の周囲に、前記結束テープを巻回して、帯封処理を施した後に、前記結束テープの前記インレット中の前記ＩＣチップにＲＦＩＤデータを書き込むように構成されたことを特徴とする請求項１ないし９のいずれか１項に記載の紙幣処理機。
【発明の詳細な説明】
【技術分野】
【０００１】
本発明は、紙幣処理機に関するものであり、さらに詳細には、所定枚数の紙幣を重ね合わせて、紙幣束を生成し、生成された所定枚数の紙幣を含む紙幣束に結束テープを巻回して、帯封処理が施された紙幣束を生成する紙幣処理機であって、所望のように管理可能な紙幣束を生成することができる紙幣処理機に関するものである。
【背景技術】
【０００２】
オペレータによって、紙幣入金口に投入された紙幣を、１枚ずつ、内部に取り込んで、現に流通している真正な紙幣か否かおよび紙幣の金種を判別し、真正な紙幣で、かつ、オペレータによって指定された金種の紙幣のみを重ね合わせて、所定枚数の紙幣を含む紙幣束を生成し、生成された紙幣束の略中央部に、結束テープを巻回して、帯封処理が施された紙幣束を生成するように構成された紙幣処理機が知られている（たとえば、特許第２６３５２５４号明細書など。）。
【発明の開示】
【発明が解決しようとする課題】
【０００３】
かかる従来の紙幣処理機において、所定枚数の紙幣を含む紙幣束の略中央部に巻回した結束テープに、紙幣束を構成する紙幣の金種や枚数などの紙幣束の情報を印刷するように構成することは可能であるが、このように、結束テープに、紙幣束を構成する紙幣の金種や枚数などの紙幣束の情報を印刷しても、紙幣束を入金して、収納し、必要に応じて、出金する紙幣処理機や、複数の紙幣束を重ね合わせて、結束テープを巻回し、複数の紙幣束を含む紙幣束を生成する紙幣処理機は、紙幣束に巻回された結束テープに印刷された紙幣束の情報を読み取る機能を有していないため、これらの情報を、紙幣束の管理に十分に利用することができないという問題があった。
【０００４】
したがって、本発明は、所定枚数の紙幣を重ね合わせて、紙幣束を生成し、生成された所定枚数の紙幣を含む紙幣束に結束テープを巻回して、帯封処理が施された紙幣束を生成する紙幣処理機であって、所望のように管理可能な紙幣束を生成することができる紙幣処理機を提供することを目的とするものである。
【課題を解決するための手段】
【０００５】
本発明のかかる目的は、紙幣をセットする紙幣入金口と、紙幣が受け入れ可能か否かおよび紙幣の金種を判定するとともに、紙幣を計数する紙幣判別部と、所定枚数の紙幣を集積する紙幣集積部と、前記紙幣集積部によって集積された所定枚数の紙幣の周囲に、ＩＣチップとアンテナを内蔵したインレットが形成された結束テープを巻回して、帯封処理を施し、紙幣束を生成する帯封処理部と、前記結束テープの前記インレット中のＩＣチップにＲＦＩＤデータを書き込むＲＦＩＤライターとを備えたことを特徴とする紙幣処理機によって達成される。
【０００６】
本発明及び本明細書において、「ＲＦＩＤデータ」とは、ＲＦＩＤ（Radio Frequency-Identification)システムを用いて、読み取り可能なデータをいい、「ＲＦＩＤシステム」とは、アンテナとコントローラを備えたＲＦＩＤライター、アンテナとコントローラを備えたＲＦＩＤリーダーならびにＩＣチップとアンテナを内蔵したインレットと呼ばれる薄いフイルムとによって構成され、ＲＦＩＤライターから所定の周波数の電波、たとえば、マイクロ波帯の電波を発信し、インレットのアンテナに受信させて、ＩＣチップに、ＲＦＩＤデータを書き込み、ＲＦＩＤリーダーから所定の周波数、たとえば、マイクロ波帯の電波を発信し、インレットのアンテナに受信させて、ＩＣチップに書き込まれたＲＦＩＤデータを読み取るシステムをいう。
【０００７】
本発明によれば、紙幣処理機は、結束テープのインレット中のＩＣチップにＲＦＩＤデータを書き込むＲＦＩＤライターとを備えているから、紙幣束を構成する紙幣の金種および枚数を特定するデータを、結束テープのインレット中のＩＣチップに書き込むことができ、したがって、紙幣束を入金して、収納し、必要に応じて、出金する紙幣処理機や、複数の紙幣束を重ね合わせて、結束テープを巻回し、複数の紙幣束を含む紙幣束を生成する紙幣処理機などに、ＲＦＩＤリーダーを設け、紙幣束に巻回された結束テープのインレット中のＩＣチップに書き込まれたＲＦＩＤデータを読み取ることによって、紙幣束を、所望のように管理することが可能になる。
【０００８】
本発明の好ましい実施態様においては、前記ＲＦＩＤライターによって、前記結束テープの前記インレット中の前記ＩＣチップに書き込まれるＲＦＩＤデータが、少なくとも、紙幣束を構成する紙幣の金種および枚数を特定するデータを含んでいる。
【０００９】
本発明の好ましい実施態様においては、前記インレットが、前記結束テープに所定の間隔で形成されている。
【００１０】
本発明のさらに好ましい実施態様においては、前記インレットが、前記結束テープに一体的に形成されている。
【００１１】
本発明のさらに好ましい実施態様においては、前記インレットが、埋め込み、貼り付けおよび印刷よりなる群から選ばれる方法によって、前記結束テープに一体的に形成されている。
【００１２】
本発明の別の好ましい実施態様においては、前記インレットが、前記インレットが一体的に形成されたラベルを、前記結束テープに貼り付けることによって、前記結束テープに形成されている。
【００１３】
本発明の好ましい実施態様においては、前記ＲＦＩＤライターが、前記帯封処理部内に設けられ、前記帯封処理部が、前記ＲＦＩＤライターから発信される周波数の電波を遮蔽するケーシングによって覆われている。
【００１４】
本発明のさらに好ましい実施態様においては、前記紙幣判別部が、紙幣の光学的特性を検出して、紙幣の光学データを生成する光学センサ手段と、前記光学センサ手段によって生成された紙幣の光学データに基づいて、紙幣が受け入れ可能か否かおよび紙幣の金種を判定するとともに、紙幣を計数する紙幣判別ユニットを備えている。
【００１５】
本発明のさらに好ましい実施態様においては、紙幣処理機は、さらに、紙幣束を生成すべき紙幣の金種を指定する金種指定信号を入力可能な入力手段と、前記紙幣判別部の判別結果に基づき、前記入力手段に入力された前記金種指定信号によって特定された金種の紙幣のみを、選択的に、前記紙幣集積部に送る選別手段を備えている。
【００１６】
本発明のさらに好ましい実施態様においては、前記ＲＦＩＤライターが、前記紙幣集積部によって集積された所定枚数の紙幣の周囲に、前記結束テープを巻回して、帯封処理を施すのに先立って、前記結束テープの前記インレット中の前記ＩＣチップにＲＦＩＤデータを書き込むように構成されている。
【００１７】
本発明の別の好ましい実施態様においては、前記ＲＦＩＤライターが、前記ＲＦＩＤライターが、前記紙幣集積部によって集積された所定枚数の紙幣の周囲に、前記結束テープを巻回して、帯封処理を施した後に、前記結束テープの前記インレット中の前記ＩＣチップにＲＦＩＤデータを書き込むように構成されている。
【発明の効果】
【００１８】
本発明によれば、所定枚数の紙幣を重ね合わせて、紙幣束を生成し、生成された所定枚数の紙幣を含む紙幣束に結束テープを巻回して、帯封処理が施された紙幣束を生成する紙幣処理機であって、所望のように管理可能な紙幣束を生成することができる紙幣束生成機を提供することが可能になる。
【発明を実施するための最良の形態】
【００１９】
以下、添付図面に基づいて、本発明の好ましい実施態様につき、詳細に説明を加える。
【００２０】
図１は、本発明の好ましい実施態様にかかる紙幣束生成機の略縦断面図である。
【００２１】
本実施態様にかかる紙幣束生成機は、銀行などの金融機関内で使用される紙幣束生成機として構成されており、図１に示されるように、オペレータによって指定された金種の紙幣を重ね合わせて、第一の所定数の紙幣、たとえば、１００枚の紙幣を含む紙幣束を生成し、生成された紙幣束に、結束テープを巻回して、帯封処理が施された紙幣束（以下、「単位紙幣束」あるいは「小束紙幣」という）を生成する第一の紙幣帯封機構１００と、単位紙幣束を重ね合わせて、第二の所定数の単位紙幣束、たとえば、１０束の単位紙幣束を含む紙幣束を生成し、生成された紙幣束に、結束テープを巻回して、帯封処理が施された紙幣束（大束紙幣）を生成する第二の紙幣帯封機構２００を備えている。
【００２２】
図１に示されるように、本実施態様にかかる紙幣束生成機は、サブハウジング１０およびサブハウジング２０に分割されたハウジング１を備えており、第一の紙幣帯封機構１００は、サブハウジング１０内に設けられ、第二の紙幣帯封機構２００は、サブハウジング２０内に設けられている。
【００２３】
図１に示されるように、サブハウジング１０の上部には、単位紙幣束を生成すべき紙幣がセットされる紙幣入金口１０１と、単位紙幣束を出金する紙幣束出金口１０２と、紙幣入金口１０１にセットされた紙幣のうち、受け入れ不能と判別された紙幣を返却する第一の紙幣返却口１０３と、紙幣入金口１０１にセットされた紙幣のうち、受け入れ可能ではあるが、その金種が、オペレータが指定した金種とは異なると判別された真正な紙幣および汚損レベルが所定レベルを超えた汚損紙幣を返却する第二の紙幣返却口１０４が設けられている。
【００２４】
紙幣入金口１０１は、重ね合わされた複数枚の紙幣を投入可能に構成されており、図１に示されるように、紙幣入金口１０１にセットされた紙幣は、繰り出しローラ（図示せず）によって、１枚ずつ、紙幣入金口１０１から、搬送路１０９内に繰り出されるように構成されている。
【００２５】
図１に示されるように、搬送路１０９は、紙幣を判別するためのデータを生成する紙幣判別部１１０に接続されている。
【００２６】
紙幣判別部１１０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、現に流通している真正な紙幣か否か、現に流通している真正な紙幣である場合は、紙幣の金種、汚損のレベルおよび紙幣の表裏、紙幣が１枚ずつ送られているか否かならびに紙幣の短辺が紙幣の搬送方向と平行になるように送られているか否かを判別するための光学データおよび磁気データを生成するセンサユニット（図示せず）を備えており、紙幣判別部１１０のセンサユニットによって生成された紙幣の光学データおよび磁気データは、ＣＰＵ（図示せず）に出力され、ＣＰＵによって、紙幣が、現に流通している真正な紙幣か否か、現に流通している真正な紙幣である場合は、紙幣の金種、汚損のレベルおよび紙幣の表裏、紙幣が１枚ずつ送られているか否かならびに紙幣の短辺が紙幣の搬送方向と平行になるように送られているか否かが判別され、１枚ずつ、その短辺が紙幣の搬送方向と平行になるように送られている現に流通している真正な紙幣が金種別に計数されるように構成されている。
【００２７】
図１に示されるように、紙幣判別部１１０の下流側には、搬送路１１１が接続されており、搬送路１１１から、第一の紙幣返却口１０３に接続された分岐搬送路１１２が分岐し、分岐搬送路１１２の分岐部には、紙幣を、搬送路１１１および分岐搬送路１１２のいずれかに選択的に導くゲート部材１１３が設けられている。
【００２８】
紙幣判別部１１０のセンサユニットによって生成された紙幣の光学データおよび磁気データに基づいて、偽造紙幣あるいは外国紙幣と判別された紙幣、２枚以上の紙幣の全部あるいは一部が重なり合って、送られていると判別された紙幣ならびに紙幣の短辺が紙幣の搬送方向と角度をなして送られていると判別された紙幣は、搬送路１１１、ゲート部材１１３および分岐搬送路１１２を介して、第一の紙幣返却口１０３に送られて、オペレータに返却される。
【００２９】
さらに、分岐搬送路１１２の分岐部の下流側の搬送路１１１から、第二の紙幣返却口１０４に接続された分岐搬送路１１４が分岐し、分岐搬送路１１４の分岐部には、紙幣を、搬送路１１１および分岐搬送路１１４のいずれかに選択的に導くゲート部材１１５が設けられている。
【００３０】
紙幣判別部１１０のセンサユニットによって生成された紙幣の光学データおよび磁気データに基づき、１枚ずつ、その短辺が紙幣の搬送方向と平行になるように送られている真正でかつ現に流通している紙幣であるが、その金種が、オペレータが指定した金種とは異なると判別された紙幣および汚損レベルが所定レベルを超えた汚損紙幣は、搬送路１１１、ゲート部材１１５および分岐搬送路１１４を介して、第二の紙幣返却口１０４に送られて、オペレータに返却される。
【００３１】
図１に示されるように、分岐搬送路１１４の分岐部の下流側の搬送路１１１には、紙幣の表裏を反転させる表裏反転搬送路１１６が接続されて、接続部には、紙幣を、搬送路１１１および表裏反転搬送路１１６のいずれかに選択的に導くゲート部材１１７が設けられている。
【００３２】
表裏反転搬送路１１６は、紙幣判別部１１０が検出した紙幣のデータに基づいて、紙幣が裏面を上にして搬送されていると判別されたときに、紙幣が表面を上にして搬送されるように、紙幣の表裏を反転させる機能を有し、正逆回転可能な複数のローラ対１１８を備えている。
【００３３】
表裏を反転させるべき紙幣は、複数のローラ対１１８によって、搬送路１１１から表裏反転搬送路１１６内に受け入れられた後、複数のローラ対１１８が逆転され、搬送路１１１に戻されることによって、その表裏が反転される。
【００３４】
図１に示されるように、搬送路１１１は、さらに、下流側に延び、紙幣集積部１２０に接続されている。
【００３５】
紙幣集積部１２０に送られた紙幣は、紙幣集積部１２０に設けられた紙幣集積機構（図示せず）によって、紙幣集積部１２０内で、集積され、所定枚数の紙幣、たとえば、１００枚の紙幣を含む集積紙幣が生成される。
【００３６】
図１に示されるように、紙幣集積部１２０には、第一の紙幣帯封ユニット１３０が接続されており、第一の紙幣帯封ユニット１３０は、紙幣集積部１２０に隣接した位置に、一対の挟持部材１３１ａ、１３１ｂを有する帯封処理部１３１を備え、紙幣集積部１２０によって生成された集積紙幣は、紙幣集積部１２０に設けられた集積紙幣送出し手段（図示せず）によって、帯封処理部１３１に送り出され、帯封処理部１３１の一対の挟持部材１３１ａ、１３１ｂによって、挟持される。
【００３７】
図１に示されるように、第一の紙幣帯封ユニット１３０は、さらに、ＩＣチップとアンテナを含むインレット（図示せず）が、所定の間隔で、一体的に形成された結束テープＴ１を、帯封処理部１３１に供給する結束テープ供給部材１３２を備えている。
【００３８】
結束テープ供給部材１３２によって、帯封処理部１３１に供給された結束テープＴ１は、帯封処理部１３１のテープ巻き付け手段（図示せず）により、一対の挟持部材１３１ａ、１３１ｂによって挟持された集積紙幣の略中央部に巻き付けられ、カッタ（図示せず）によって切断され、さらに、接着手段（図示せず）によって、集積紙幣の略中央部に巻き付けられて、切断された結束テープＴ１の端部が接着され、略中央部に、帯封がされた所定枚数の紙幣、たとえば、１００枚の紙幣を含む単位紙幣束が生成される。
【００３９】
図１に示されるように、第一の紙幣帯封ユニット１３０は、さらに、結束テープ供給部材１３２の近傍に、結束テープＴ１に一体的に形成されたインレット内のＩＣチップに、生成されるべき紙幣束に含まれる紙幣のＩＤデータ、金種データなどの紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータを書き込むＲＦＩＤライター１３５を備えている。
【００４０】
インレットを結束テープＴ１に一体的に形成する方法としては、結束テープＴ１用の紙を抄く際に、結束テープＴ１用の紙にインレットを埋め込む方法、結束テープＴ１にインレットを印刷する方法などが挙げられるが、とくに限定されるものではない。
【００４１】
図１に示されるように、第一の紙幣帯封ユニット１３０の帯封処理部１３１、ＲＦＩＤライター１３５およびＲＦＩＤライター１３５の近傍の結束テープＴ１の搬送路は、ＲＦＩＤライター１３５によって、結束テープＴ１に一体的に形成されたインレット内のＩＣチップにＲＦＩＤデータを書き込む際に、ＲＦＩＤライター１３５から発信される周波数の電波を遮蔽する材料によって形成されたケーシング１３６によって覆われている。
【００４２】
図１に示されるように、第一の紙幣帯封機構１００は、第一の紙幣帯封ユニット１３０の下方に、紙幣束収納ユニット１５０を備えている。
【００４３】
紙幣束収納ユニット１５０は、通常は、ロック部材（図示せず）によって、ロックされて、紙幣束生成機に固定され、ロック部材によるロックが解除されたときは、スライドさせて、紙幣束生成機から取り出し可能に構成されている。
【００４４】
本実施態様にかかる紙幣束生成機は、４種類の金種の紙幣束を生成可能に構成されており、図１に示されるように、紙幣束収納ユニット１５０は、第一の金種の単位紙幣束を収納する第一の紙幣束収納ボックス１５０ａと、第二の金種の単位紙幣束を収納する第二の紙幣束収納ボックス１５０ｂと、第三の金種の単位紙幣束を収納する第三の紙幣束収納ボックス１５０ｃと、第四の金種の単位紙幣束を収納する第四の紙幣束収納ボックス１５０ｄを備えている。
【００４５】
第一の紙幣帯封ユニット１３０によって生成された単位紙幣束は、金種にしたがって、第一の紙幣束収納ボックス１５０ａ、第二の紙幣束収納ボックス１５０ｂ、第三の紙幣束収納ボックス１５０ｃおよび第四の紙幣束収納ボックス１５０ｄのいずれかに選択的に送られて、収納される。
【００４６】
図１に示されるように、第一の紙幣帯封ユニット１３０の下部には、帯封処理部１３１によって生成された単位紙幣束を繰り出す紙幣束繰り出し部１３８が設けられている。
【００４７】
第一の紙幣帯封ユニット１３０の紙幣束繰り出し部１３８には、紙幣束搬送路１４０が接続されている。紙幣束搬送路１４０からは、第一の紙幣束収納ボックス１５０ａに接続された紙幣束分岐搬送路１４１、第二の紙幣束収納ボックス１５０ｂに接続された紙幣束分岐搬送路１４２および第三の紙幣束収納ボックス１５０ｃに接続された紙幣束分岐搬送路１４３が、この順に分岐しており、紙幣束搬送路１４０は、紙幣束分岐搬送路１４３の分岐部の下流側で、第四の紙幣束収納ボックス１５０ｄに接続されている。
【００４８】
図１に示されるように、紙幣束分岐搬送路１４１の分岐部には、単位紙幣束を紙幣束搬送路１４０および紙幣束分岐搬送路１４１のいずれかに選択的に導くゲート部材１４５が設けられ、紙幣束分岐搬送路１４２の分岐部には、単位紙幣束を紙幣束搬送路１４０および紙幣束分岐搬送路１４２のいずれかに選択的に導くゲート部材１４６が設けられている。さらに、紙幣束分岐搬送路１４３の分岐部には、単位紙幣束を紙幣束搬送路１４０および紙幣束分岐搬送路１４３のいずれかに選択的に導くゲート部材１４７が設けられている。
【００４９】
図１に示されるように、第一の紙幣束収納ボックス１５０ａの下部には、第一の紙幣束収納ボックス１５０ａ内に収納された単位紙幣束を、一束ずつ、紙幣束出金搬送路１６０に繰り出す第一の紙幣束繰り出し部１５５ａが設けられ、第二の紙幣束収納ボックス１５０ｂの下部には、第二の紙幣束収納ボックス１５０ｂ内に収納された単位紙幣束を、一束ずつ、紙幣束出金搬送路１６０に繰り出す第二の紙幣束繰り出し部１５５ｂが設けられている。さらに、第三の紙幣束収納ボックス１５０ｃの下部には、第三の紙幣束収納ボックス１５０ｃ内に収納された単位紙幣束を、一束ずつ、紙幣束出金搬送路１６０に繰り出す第三の紙幣束繰り出し部１５５ｃが設けられ、第四の紙幣束収納ボックス１５０ｄの下部には、第四の紙幣束収納ボックス１５０ｄ内に収納された単位紙幣束を、一束ずつ、紙幣束搬送路１６０に繰り出す第四の紙幣束繰り出し部１５５ｄが設けられている。
【００５０】
図１に示されるように、紙幣束出金搬送路１６０からは、第二の紙幣帯封機構２００内に延びる接続搬送路１７０が分岐しており、接続搬送路１７０の分岐部には、単位紙幣束を紙幣束出金搬送路１６０および接続搬送路１７０の一方に選択的に導くゲート部材１７５が設けられている。
【００５１】
紙幣束出金搬送路１６０は、接続搬送路１７０の分岐部の下流側において、サブハウジング１０の上部に設けられた紙幣束出金口１０２に接続され、紙幣束出金搬送路１６０には、紙幣束検出部１６５が設けられている。
【００５２】
紙幣束検出部１６５は、ＲＦＩＤリーダー（図示せず）を備え、ＲＦＩＤリーダーから発信される周波数の電波を遮蔽する性質を有する材料によって形成されたケーシング１６５ｂによって覆われている。
【００５３】
第二の紙幣帯封機構２００は、第一の所定数の紙幣、たとえば、１００枚の紙幣に帯封が付された単位紙幣束を、第二の所定数、たとえば、１０束だけ束ね、結束テープを巻回して、単位紙幣束が積層された紙幣束を作成するものであり、図１に示されるように、接続搬送路１７０を介して、第一の紙幣帯封機構１００と接続されている。
【００５４】
図１に示されるように、サブハウジング２０の側部には、ＩＣチップとアンテナを含むインレットが形成された結束テープＴ１が巻き付けられた単位紙幣束が投入される紙幣束入金口２０１と、第二の所定数の単位紙幣束が積層され、結束テープが巻き付けられて、帯封がされた紙幣束が出金される紙幣束出金口２０２が設けられている。
【００５５】
したがって、本実施態様にかかる紙幣束生成機の第二の紙幣帯封機構２００は、第一の紙幣帯封機構１００によって生成された単位紙幣束を、第二の所定数に等しい数だけ、束ねて、帯封を付し、単位紙幣束が積層された紙幣束を作成可能であるとともに、紙幣束入金口２０１から投入された単位紙幣束を、第二の所定数に等しい数だけ、束ねて、帯封を付し、単位紙幣束が積層された紙幣束を作成可能に構成されている。
【００５６】
図１に示されるように、接続搬送路１７０と、紙幣束入金口２０１に接続された入金紙幣束搬送路２０５とは、紙幣束搬送路２１０に合流し、紙幣束搬送路２１０は、データ読み取り部２２０に接続されている。データ読み取り部２２０は、単位紙幣束に巻き付けられた結束テープＴ１に一体的に形成されているインレット内のＩＣチップに書き込まれたＲＦＩＤデータを読み取るＲＦＩＤリーダー（図示せず）を備え、ＲＦＩＤリーダーから発信される周波数の電波を遮蔽する材料によって形成されたケーシング２２０ｂによって覆われている。
【００５７】
図１に示されるように、第二の紙幣帯封機構２００は、さらに、紙幣束搬送路２１０を介して、データ読み取り部２２０に接続された第二の紙幣帯封ユニット２４０を備えている。
【００５８】
第二の紙幣帯封機構２００の第二の紙幣帯封ユニット２４０は、第一の所定数に等しい枚数の紙幣、たとえば、１００枚の紙幣に、ＩＣチップとアンテナを含むインレットが形成された結束テープＴ１が巻き付けられて、帯封が付された単位紙幣束を、第二の所定数に等しい数だけ、たとえば、１０束だけ、集積させる紙幣束集積手段２４１と、一対の挟持部材（図示せず）を備え、紙幣束集積手段２４１によって集積された第二の所定数に等しい数の単位紙幣束を、一対の挟持部材の間に挟持する紙幣束保持手段２４２と、紙幣束保持手段２４２によって挟持された第二の所定数に等しい数の単位紙幣束にＩＣチップとアンテナを含むインレットが所定の間隔で一体的に形成された結束テープＴ２を供給する結束テープ供給部材２４３と、結束テープ供給部材２４３によって供給された結束テープＴ２を、紙幣束保持手段２４２によって挟持された第二の所定数に等しい数の単位紙幣束の略中央部に巻き付けて、帯封を付す巻き付け手段２４４と、第二の所定数に等しい数の単位紙幣に巻き付けられるべき結束テープＴ２に一体的に形成されたインレット内のＩＣチップに、生成されるべき紙幣束に含まれる紙幣の金種、枚数などの紙幣束を構成する紙幣に関するＲＦＩＤデータならびに帯封処理を施した日時、帯封処理を施した金融機関名、帯封処理の実行者などの帯封処理に関するＲＦＩＤデータを書き込むＲＦＩＤライター２４５を備えている。
【００５９】
インレットを結束テープＴ２に一体的に形成する方法としては、結束テープＴ２用の紙を抄く際に、インレットを結束テープＴ２用の紙に埋め込む方法、結束テープＴ２にインレットを貼り付ける方法、結束テープＴ２にインレットを印刷する方法などが挙げられるが、とくに限定されるものではない。
【００６０】
第二の紙幣帯封ユニット２４０の紙幣束集積手段２４１、紙幣束保持手段２４２、巻き付け手段２４４、ＲＦＩＤライター２４５およびＲＦＩＤライター２４５の近傍の結束テープＴ２の搬送路は、結束テープＴ２に一体的に形成されたインレット内のＩＣチップにＲＦＩＤデータを書き込む際に、ＲＦＩＤライター２４５から発信される周波数の電波を遮蔽する材料によって形成されたケーシング２４６によって覆われている。
【００６１】
図１に示されるように、第二の紙幣帯封ユニット２４０は、紙幣束搬送路２５０を介して、紙幣束出金口２０２に接続されており、第二の紙幣帯封ユニット２４０によって、第一の所定数に等しい枚数の紙幣、たとえば、１００枚の紙幣に帯封が付された単位紙幣束を、第二の所定数に等しい数、たとえば、１０束だけ、束ねて、帯封を付して生成された紙幣束は、紙幣束出金口２０２から出金されるように構成されている。
【００６２】
図２は、図１に示された紙幣束生成機の制御系、検出系、駆動系、入力系および表示系を示すブロックダイアグラムである。
【００６３】
図２に示されるように、本実施態様にかかる紙幣束生成機の制御系は、紙幣束生成機の動作を制御するＣＰＵ３００と、紙幣束生成機の制御プログラムなどが格納されたＲＯＭ３０１と、各種データを記憶するＲＡＭ３０２と、時計３０３を備えている。
【００６４】
ここに、ＲＡＭ３０２には、紙幣束生成機が設置されている金融機関名、支店名、紙幣処理機のＩＤデータなどの紙幣束生成機に関するデータが記憶されている。
【００６５】
また、図２に示されるように、ＣＰＵ３００は、紙幣束に帯封処理を施す権限を有する金融機関によって、共同管理されている中央管理サーバ３０５に接続されており、中央管理サーバ３０５には、各金融機関が、所定枚数の紙幣に、結束テープを巻回して、帯封をし、紙幣束を生成する際に、結束テープに形成されたインレット内のＩＣチップに書き込んだ帯封処理に関するデータが記憶されている。
【００６６】
図２に示されるように、本実施態様にかかる紙幣束生成機の検出系は、第一の紙幣帯封機構１００の紙幣判別部１１０および紙幣束検出部１６５を備えている。第一の紙幣帯封機構１００の紙幣判別部１１０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット１１０ａを備えている。また、第一の紙幣帯封機構１００の紙幣束検出部１６５は、単位紙幣束に巻回されている結束テープＴ１に一体的に形成されたインレット中のＩＣチップに書き込まれたＲＦＩＤデータを読み取るＲＦＩＤリーダー１６５ａを備えている。
【００６７】
図２に示されるように、本実施態様にかかる紙幣束生成機の検出系は、第二の紙幣帯封機構２００のデータ読み取り部２２０を備え、第二の紙幣帯封機構２００のデータ読み取り部２２０は、単位紙幣束に巻回されている結束テープＴ１に一体的に形成されたインレット中のＩＣチップに書き込まれたＲＦＩＤデータを読み取るＲＦＩＤリーダー２２０ａを備えている。
【００６８】
図２に示されるように、本実施態様にかかる紙幣束生成機の駆動系は、第一の紙幣帯封機構１００の駆動系１８０および第二の紙幣帯封機構２００の駆動系２８０を備えている。
【００６９】
図３は、図１に示された紙幣束生成機の第一の紙幣帯封機構１００の駆動系１８０を示すブロックダイアグラムである。
【００７０】
図３に示されるように、第一の紙幣帯封機構２００の駆動系１８０は、ゲート部材１１３を駆動するソレノイド１８１と、ゲート部材１１５を駆動するソレノイド１８２と、ゲート部材１１７を駆動するソレノイド１８３と、ゲート部材１４５を駆動するソレノイド１８４と、ゲート部材１４６を駆動するソレノイド１８５と、ゲート部材１４７を駆動するソレノイド１８６と、ゲート部材１７５を駆動するソレノイド１８７と、繰り出しローラ（図示せず）を駆動する繰り出しローラ駆動モータ１８８と、搬送路１０９、搬送路１１１、分岐搬送路１１２、分岐搬送路１１４、紙幣束搬送路１４０、紙幣束分岐搬送路１４１、紙幣束分岐搬送路１４２、紙幣束分岐搬送路１４３、紙幣束出金搬送路１６０および接続搬送路１７０に設けられた搬送ローラ（図示せず）を駆動するローラ駆動手段１８９と、表裏反転搬送路１１６に設けられた複数のローラ対１１８を駆動するモータ１９０と、紙幣集積部１２０内に紙幣を集積させる紙幣集積機構１９１と、紙幣集積部１２０内に集積された紙幣を送り出す集積紙幣送り出し手段１９２と、帯封処理部１３１の一対の挟持部材１３１ａ、１３１ｂを相対的に移動させるモータ１９３と、第一の紙幣帯封ユニット１３０の結束テープ供給部材１３２を駆動するモータ１９４と、帯封処理部１３１のテープ巻き付け手段（図示せず）を駆動する巻き付けモータ１９５と、第一の紙幣帯封ユニット１３０のＲＦＩＤライター１３５を駆動するＲＦＩＤライター駆動手段１９６と、第一の紙幣帯封ユニット１３０のカッタ（図示せず）を駆動するソレノイド１９７と、第一の紙幣帯封ユニット１３０の接着手段（図示せず）を駆動するソレノイド１９８と、帯封処理部１３１によって生成された単位紙幣束を繰り出す紙幣束繰り出し部１３８と、第一の紙幣束収納ボックス１５０ａ内に収納された単位紙幣束を、一束ずつ、紙幣束出金搬送路１６０に繰り出す第一の紙幣束繰り出し部１５５ａと、第二の紙幣束収納ボックス１５０ｂ内に収納された単位紙幣束を、一束ずつ、紙幣束出金搬送路１６０に繰り出す第二の紙幣束繰り出し部１５５ｂと、第三の紙幣束収納ボックス１５０ｃ内に収納された単位紙幣束を、一束ずつ、紙幣束出金搬送路１６０に繰り出す第三の紙幣束繰り出し部１５５ｃと、第四の紙幣束収納ボックス１５０ｄ内に収納された単位紙幣束を、一束ずつ、紙幣束搬送路１６０に繰り出す第四の紙幣束繰り出し部１５５ｄとを備えている。
【００７１】
図４は、図１に示された紙幣束生成機の第二の紙幣帯封機構２００の駆動系２８０を示すブロックダイアグラムである。
【００７２】
図４に示されるように、第二の紙幣帯封機構２００の駆動系２８０は、入金紙幣束搬送路２０５、紙幣束搬送路２１０および紙幣束搬送路２５０に設けられた搬送ローラ（図示せず）を駆動するローラ駆動手段２８１と、第二の紙幣帯封ユニット２４０の紙幣束集積手段２４１内で集積された第二の所定数に等しい数の単位紙幣束を、紙幣束保持手段２４２に向けて、送り出す紙幣束送り出し手段２８２と、第二の紙幣帯封ユニット２４０の紙幣束保持手段２４２の一対の挟持部材を相対的に移動させるモータ２８３と、第二の紙幣帯封ユニット２４０の結束テープ供給部材２４３を駆動するモータ２８４と、第二の紙幣帯封ユニット２４０の巻き付け手段２４４を駆動する巻き付けモータ２８５と、第二の紙幣帯封ユニット２４０のＲＦＩＤライター２４５を駆動するＲＦＩＤライター駆動手段２８６とを備えている。
【００７３】
図２に示されるように、本実施態様にかかる紙幣束生成機の入力系は、オペレータによって操作され、種々の指示信号が入力されるキーボード３１０を備えており、紙幣入出金機の表示系は、紙幣の計数結果などを表示するディスプレイ３１５を備えている。
【００７４】
以上のように構成された本発明の好ましい実施態様にかかる紙幣束生成機は、以下のようにして、紙幣入金口１０１内にセットされた紙幣を重ね合わせて、第一の所定数、たとえば、１００枚の紙幣を含む単位紙幣束を生成し、紙幣の金種にしたがって、第一の紙幣束収納ボックス１５０ａ、第二の紙幣束収納ボックス１５０ｂ、第三の紙幣束収納ボックス１５０ｃおよび第四の紙幣束収納ボックス１５０ｄのいずれかに収納する。
【００７５】
まず、オペレータによって、紙幣が紙幣入金口１０１にセットされ、単位紙幣束を生成すべき紙幣の金種を特定する金種特定信号、単位紙幣束に含まれるべき紙幣の枚数を指定する紙幣枚数指定信号および単位紙幣束生成信号がキーボード３１０に入力される。
【００７６】
金種特定信号、紙幣枚数指定信号および単位紙幣束生成信号は、ＣＰＵ３００に出力され、ＣＰＵ３００は、金種特定信号、紙幣枚数指定信号および単位紙幣束生成信号を受けると、単位紙幣束を生成すべき紙幣の金種および単位紙幣束に含まれるべき紙幣の枚数をＲＡＭ３０２に書き込むとともに、繰り出しローラ駆動モータ１８８およびローラ駆動手段１８９に駆動信号を出力する。
【００７７】
その結果、紙幣入金口１０１内にセットされた紙幣は、繰り出しローラ（図示せず）によって、１枚づつ、搬送路１０９内に繰り出され、紙幣判別部１１０に送られる。
【００７８】
紙幣判別部１１０においては、センサユニット１１０ａによって、紙幣の光学データおよび磁気データが読み取られ、読み取られた紙幣の光学データおよび磁気データはＣＰＵ３００に出力される。
【００７９】
ＣＰＵ３００は、紙幣判別部１１０から、紙幣の光学データおよび磁気データを受けると、ＲＡＭ３０２に書き込まれた単位紙幣束を生成すべき紙幣の金種を読み出し、対応する金種の紙幣の基準光学データおよび基準磁気データをＲＯＭ３０１から読み出す。
【００８０】
次いで、ＣＰＵ３００は、紙幣判別部１１０のセンサユニット１１０ａから入力された紙幣の光学データおよび磁気データを、ＲＯＭ３０１から読み出した紙幣の基準光学データおよび基準磁気データと比較し、紙幣が受け入れ可能か否か、紙幣の金種および汚損レベル、紙幣が１枚ずつ送られているか否かならびに紙幣の短辺が紙幣の搬送方向と平行になるように送られているか否かを判別する。
【００８１】
すなわち、磁気センサが検出した紙幣の磁気データと、ＲＯＭ３０１から読み出した基準磁気データとを比較した結果、両者の差が第一のしきい値以下と判定したときは、ＣＰＵ３００は、さらに、光学センサ手段の反射光センサが検出した紙幣の表面パターンデータと、ＲＯＭ３０１から読み出した基準光学データのうちの基準表面パターンデータとを比較する。
【００８２】
その結果、紙幣の表面パターンデータと基準表面パターンデータとの差が第二のしきい値以下と判定したときは、ＣＰＵ３００は、紙幣判別部１１０によって検出された紙幣は、単位紙幣束を生成すべき金種の紙幣であると最終的に判別する。
【００８３】
一方、磁気センサが検出した紙幣の磁気データと、ＲＯＭ３０１から読み出した基準磁気データとを比較した結果、両者の差が第一のしきい値を超えていると判定したときは、ＣＰＵ３００は、ＲＯＭ３０１から他の金種の基準磁気データを読み出して、磁気センサが検出した紙幣の磁気データと比較する。
【００８４】
その結果、磁気センサが検出した紙幣の磁気データと各金種の基準磁気データとの差が、いずれも第一のしきい値を超えていると判定したときは、ＣＰＵ３００は、紙幣判別部１１０によって検出された紙幣は、偽造紙幣あるいは外国紙幣であると判別する。
【００８５】
他方、磁気センサが検出した紙幣の磁気データといずれかの金種の基準磁気データとの差が第一のしきい値以下であると判定したときは、ＣＰＵ３００は、紙幣判別部１１０によって検出された紙幣は現に流通している真正な紙幣ではあるが、オペレータが指定した単位紙幣束を生成すべき金種の紙幣ではないと判別する。
【００８６】
これに対して、磁気センサが検出した紙幣の磁気データと、ＲＯＭ３０１から読み出した基準磁気データとの差が第一のしきい値以下であるが、光学センサ手段の反射光センサが検出した紙幣の表面パターンデータと、ＲＯＭ３０１から読み出した基準光学データのうちの基準表面パターンデータとの差が、第二のしきい値よりも大きい第三のしきい値を超えていると判定したときは、ＣＰＵ３００は、さらに、その金種の紙幣の裏面の基準表面パターンデータをＲＯＭ３０１から読み出して、光学センサ手段の反射光センサが検出した紙幣の表面パターンデータと比較する。
【００８７】
その結果、両者の差が第四のしきい値以下と判定したときは、ＣＰＵ３００は、紙幣判別部１１０によって検出された紙幣は、単位紙幣束を生成すべき金種の紙幣ではあるが、裏面を上にして、１枚ずつ、短辺が紙幣の搬送方向と平行になるように送られていると判別し、判別結果をＲＡＭ３０２に書き込むとともに、その紙幣を金種別に計数し、計数結果をＲＡＭ３０２に書き込む。
【００８８】
これに対して、光学センサ手段の反射光センサが検出した紙幣の表面パターンデータと、ＲＯＭ３０１から読み出した紙幣の裏面の基準表面パターンデータとの差が、第四のしきい値よりも大きい第五のしきい値を超えていると判定したときは、ＣＰＵ３００は、紙幣判別部１１０によって検出された紙幣は、現に流通している真正な紙幣ではあるが、紙幣の短辺が紙幣の搬送方向と平行になるように送られていないと判別し、判別結果をＲＡＭ３０２に書き込む。
【００８９】
一方、光学センサ手段の反射光センサが検出した紙幣の表面パターンデータと、ＲＯＭ３０１から読み出した基準光学データのうちの基準表面パターンデータとを比較した結果、両者の差が、第二のしきい値以上を超えているが、第三のしきい値以下であると判定したときは、ＣＰＵ３００は、紙幣判別部１１０によって検出された紙幣は、現に流通している真正な紙幣で、オペレータが指定した金種の紙幣ではあるが、汚損レベルが所定レベルを超えた汚損紙幣であると判別し、判別結果をＲＡＭ３０２に書き込む。
【００９０】
さらに、ＣＰＵ３００は、光学センサ手段の透過光センサが検出した紙幣の透過光データと、ＲＯＭ３０１から読み出した基準透過光データとを比較し、両者が実質的に一致していると判定したときは、その紙幣は、汚損レベルが所定レベル以下で、オペレータが指定した金種の現に流通している真正な紙幣で、かつ、表面を上にして、１枚ずつ、その短辺が紙幣の搬送方向と平行になるように送られていると判別し、判別結果をＲＡＭ３０２に書き込むとともに、その紙幣を金種別に計数し、計数結果をＲＡＭ３０２に書き込む。
【００９１】
これに対して、光学センサ手段の透過光センサが検出した紙幣の透過光データと、ＲＯＭ３０１から読み出した基準透過光データが実質的に一致していないと判定したときは、ＣＰＵ３００は、２枚以上の紙幣が、全部あるいはその一部が重なり合って、送られていると判別し、判別結果をＲＡＭ３０２に書き込む。
【００９２】
紙幣判別部１１０によって読み取られた紙幣の光学データおよび磁気データに基づいて、紙幣を判別した結果、紙幣判別部１１０によって検出された紙幣が、偽造紙幣もしくは外国紙幣と判別した場合、２枚以上の紙幣の全部あるいは一部が重なり合って送られていると判別した場合あるいは紙幣の短辺が紙幣の搬送方向と角度をなして送られていると判別した場合には、ＣＰＵ３００は、ゲート部材１１３を駆動するソレノイド１８１に駆動信号を出力して、その紙幣を、分岐搬送路１１２を介して、第一の紙幣返却口１０３に送り、オペレータに返却する。
【００９３】
一方、紙幣判別部１１０によって検出された紙幣が、現に流通している真正な紙幣で、かつ、１枚ずつ、その短辺が紙幣の搬送方向と平行になるように送られているが、その金種が、オペレータによって指定された金種とは異なっていると判別した場合あるいは現に流通している真正な紙幣で、かつ、１枚ずつ、その短辺が紙幣の搬送方向と平行になるように送られているが、汚損レベルが所定レベルを超えた汚損紙幣であると判別した場合には、ＣＰＵ３００は、ゲート部材１１５を駆動するソレノイド１８２に駆動信号を出力して、その紙幣を、分岐搬送路１１４を介して、第二の紙幣返却口１０４に送り、オペレータに返却する。
【００９４】
これに対して、紙幣判別部１１０によって検出された紙幣が、汚損レベルが所定レベル以下で、オペレータが指定した金種の現に流通している真正な紙幣で、かつ、１枚ずつ、その短辺が紙幣の搬送方向と平行になるように送られているが、裏面を上にして送られていると判別したときは、ＣＰＵ３００は、ゲート部材１１７を駆動するソレノイド１８３に駆動信号を出力して、搬送路１１１と表裏反転搬送路１１６とを連通させるとともに、表裏反転搬送路１１６に設けられた複数のローラ対１１８を駆動するモータ１９０に駆動信号を出力する。その結果、紙幣は、搬送路１１１から、表裏反転搬送路１１６内に送られた後、複数のローラ対１１８が逆転されるのにともなって、搬送路１１１に戻され、表面が上を向いた状態で、搬送路１１１内を、紙幣集積部１２０に向けて、送られる。
【００９５】
一方、紙幣判別部１１０によって検出された紙幣が、汚損レベルが所定レベル以下で、オペレータが指定した金種の現に流通している真正な紙幣で、かつ、表面を上にして、１枚ずつ、その短辺が紙幣の搬送方向と平行になるように送られていると判別したときは、ＣＰＵ３００は、ゲート部材１１３を駆動するソレノイド１８１、ゲート部材１１５を駆動するソレノイド１８２およびゲート部材１１７を駆動するソレノイド１８３に駆動信号を出力せず、したがって、その紙幣は、分岐搬送路１１２の分岐部、分岐搬送路１１４の分岐部および表裏反転搬送路１１６の分岐部を通過して、搬送路１１１内を、紙幣集積部１２０に向けて、送られる。
【００９６】
したがって、紙幣集積部１２０には、オペレータが指定した金種の現に流通している真正な紙幣で、１枚ずつ、短辺が紙幣の搬送方向と平行になるように送られている紙幣のみが、表面が上を向いた状態で、送られる。
【００９７】
紙幣集積部１２０に送られた紙幣は、紙幣集積機構１９１によって、紙幣集積部１２０内で、集積される。
【００９８】
こうして、オペレータが指定した金種の現に流通している真正な紙幣で、１枚ずつ、短辺が紙幣の搬送方向と平行になるように送られている紙幣が、次々に、紙幣集積部１２０に送られて、集積された結果、ＲＡＭ３０２に書き込まれたデータに基づいて、オペレータが指定した枚数の紙幣が、紙幣集積部１２０に送られて、集積されたと判定すると、ＣＰＵ３００は、繰り出しローラ駆動モータ１８８に駆動停止信号を出力して、繰り出しローラの駆動を停止させ、紙幣入金口１０１にセットされた紙幣の取り込みを、一時的に中断させるとともに、紙幣集積部１２０の集積紙幣送出し手段１９２に駆動信号を出力して、紙幣集積部１２０内に集積された紙幣を、紙幣帯封機構１３０の帯封処理部１３１に移送させる。
【００９９】
紙幣集積部１２０内に集積された紙幣が、紙幣帯封機構１３０の帯封処理部１３１に移送されると、ＣＰＵ３００は、モータ１９３に駆動信号を出力して、帯封処理部１３１の一対の挟持部材１３１ａ、１３１ｂを互いに近接させる。
【０１００】
その結果、第一の所定数の紙幣、たとえば、１００枚の紙幣を含む集積紙幣が、一対の挟持部材１３１ａ、１３１ｂによって挟持される。
【０１０１】
次いで、ＣＰＵ３００は、結束テープ供給部材１３２を駆動するモータ１９４に駆動信号を出力して、結束テープＴ１を、帯封処理部１３１に向けて繰り出させ、さらに、ＲＡＭ３０２に書き込まれた帯封処理に関するデータを読み出して、駆動信号とともに、第一の紙幣帯封機構１００のＲＦＩＤライター1３５を駆動するＲＦＩＤライター駆動手段１９６に出力する。
【０１０２】
その結果、ＲＦＩＤライター１３５によって、結束テープ供給部材１３２から、帯封処理部１３１に向けて繰り出された結束テープＴ１に一体的に形成されたインレット内のＩＣチップに、生成されるべき単位紙幣束に含まれる紙幣の金種、枚数などの紙幣束を構成する紙幣に関するＲＦＩＤデータならびに金融機関名、支店名、紙幣処理機のＩＤデータ、オペレータの名前、帯封処理を実行した日時などの帯封処理に関するＲＦＩＤデータが書き込まれる。
【０１０３】
さらに、ＣＰＵ３００は、結束テープＴ１に一体的に形成されたインレット内のＩＣチップに書き込んだ帯封処理に関するＲＦＩＤデータを、紙幣束に帯封処理を施す権限を有する金融機関によって、共同管理されている中央管理サーバ３０５に出力する。こうして、中央管理サーバ３０５に、集積紙幣に巻回された結束テープＴ１に一体的に形成されたインレット中のＩＣチップに、ＲＦＩＤライター１３５によって書き込まれた帯封処理に関するデータが格納される。
【０１０４】
インレット内のＩＣチップに、紙幣束を構成する紙幣に関するＲＦＩＤデータおよび帯封処理に関するＲＦＩＤデータが書き込まれた結束テープＴ１は、帯封処理部１３１内に送られ、結束テープＴ１が帯封処理部１３１内に送られると、ＣＰＵ３００から、帯封処理部１３１のテープ巻き付け手段（図示せず）を駆動するモータ１９５に駆動信号が出力され、結束テープＴ１が、一対の挟持部材１３１ａ、１３１ｂに挟持された集積紙幣の略中央部に巻き付けられる。
【０１０５】
所定の長さの結束テープＴ１が集積紙幣に巻き付けられたと判定すると、ＣＰＵ３００は、第一の紙幣帯封ユニット１３０のカッタ（図示せず）を駆動するソレノイド１９７に駆動信号を出力して、カッタにより、結束テープＴ１を切断させ、さらに、第一の紙幣帯封ユニット１３０の接着手段（図示せず）を駆動するソレノイド１９８に駆動信号を出力して、接着手段によって、切断された結束テープＴ１の端部を接着させる。
【０１０６】
こうして、所定枚数の紙幣、たとえば、１００枚の紙幣を含み、結束テープＴ１が巻回されて、帯封が付された単位紙幣束が生成される。
【０１０７】
単位紙幣束が生成されると、ＣＰＵ３００は、ＲＡＭ３０２に、生成された単位紙幣束の金種および数に関する紙幣束生成データを書き込むとともに、紙幣束繰り出し部１３８に駆動信号を出力して、生成された単位紙幣束を、紙幣束搬送路１４０に繰り出させる。
【０１０８】
同時に、ＣＰＵ３００は、オペレータによって指定された単位紙幣束を生成すべき紙幣の金種が第一の金種であるときは、ゲート部材１４５を駆動するソレノイド１８４に駆動信号を出力して、紙幣束搬送路１４０に繰り出された単位紙幣束を、紙幣束分岐搬送路１４１に導いて、第一の紙幣束収納ボックス１５０ａ内に収納させる。
【０１０９】
一方、オペレータによって指定された単位紙幣束を生成すべき紙幣の金種が第二の金種であるときは、ＣＰＵ３００は、ゲート部材１４６を駆動するソレノイド１８５に駆動信号を出力して、紙幣束搬送路１４０に繰り出された単位紙幣束を、紙幣束分岐搬送路１４２に導いて、第二の紙幣束収納ボックス１５０ｂ内に収納させる。
【０１１０】
これに対して、オペレータによって指定された単位紙幣束を生成すべき紙幣の金種が第三の金種であるときは、ＣＰＵ３００は、ゲート部材１４７を駆動するソレノイド１８６に駆動信号を出力して、紙幣束搬送路１４０に繰り出された単位紙幣束を、紙幣束分岐搬送路１４３に導いて、第三の紙幣束収納ボックス１５０ｃ内に収納させる。
【０１１１】
他方、オペレータによって指定された単位紙幣束を生成すべき紙幣の金種が第四の金種であるときは、ＣＰＵ３００は、ゲート部材１４５を駆動するソレノイド１８４、ゲート部材１４６を駆動するソレノイド１８５およびゲート部材１４７を駆動するソレノイド１８６に駆動信号を出力することなく、紙幣束搬送路１４０に繰り出された単位紙幣束を、第四の紙幣束収納ボックス１５０ｄ内に収納させる。
【０１１２】
こうして、紙幣入金口１０１にセットされた紙幣がすべて、第一の紙幣束収納ボックス１５０ａ、第二の紙幣束収納ボックス１５０ｂ、第三の紙幣束収納ボックス１５０ｃもしくは第四の紙幣束収納ボックス１５０ｄ内に収納され、または、第一の紙幣返却口１０３もしくは第二の紙幣返却口１０４に返却されると、ＣＰＵ３００は、ローラ駆動手段１８９に駆動停止信号を出力して、単位紙幣束の生成および収納処理を終了させる。
【０１１３】
第一の紙幣束収納ボックス１５０ａ、第二の紙幣束収納ボックス１５０ｂ、第三の紙幣束収納ボックス１５０ｃおよび第四の紙幣束収納ボックス１５０ｄのいずれかから、単位紙幣束を出金するときは、オペレータによって、キーボード３１０に、出金すべき単位紙幣束の金種を特定する金種特定信号、出金すべき単位紙幣束の数を指定する出金紙幣束数指定信号および単位紙幣束出金信号が入力される。
【０１１４】
キーボード３１０に入力された金種指定信号、出金紙幣束数指定信号および単位紙幣束出金信号は、ＣＰＵ３００に出力され、出金金種指定信号、出金紙幣束数指定信号および単位紙幣束出金信号を受けると、ＣＰＵ３００は、出金すべき単位紙幣束の金種および数をＲＡＭ３０２に書き込み、ローラ駆動手段１８９に駆動信号を出力するとともに、第一の紙幣束収納ボックス１５０ａ、第二の紙幣束収納ボックス１５０ｂ、第三の紙幣束収納ボックス１５０ｃおよび第四の紙幣束収納ボックス１５０ｄのうち、出金すべき金種の紙幣束を収納している紙幣束収納ボックスの下部に設けられた紙幣束繰り出し部を駆動する。
【０１１５】
すなわち、第一の金種の単位紙幣束を出金すべきときは、第一の紙幣束収納ボックス１５０ａの下部に設けられた第一の紙幣束繰り出し部１５５ａを駆動して、第一の紙幣束収納ボックス１５０ａ内に収納されている第一の金種の単位紙幣束を、一束ずつ、紙幣束出金搬送路１６０に繰り出させ、第二の金種の単位紙幣束を出金すべきときは、第二の紙幣束収納ボックス１５０ｂの下部に設けられた第二の紙幣束繰り出し部１５５ｂを駆動して、第二の紙幣束収納ボックス１５０ｂ内に収納されている第二の金種の単位紙幣束を、一束ずつ、紙幣束出金搬送路１６０に繰り出させる。一方、第三の金種の単位紙幣束を出金すべきときは、第三の紙幣束収納ボックス１５０ｃの下部に設けられた第三の紙幣束繰り出し部１５５ｃを駆動して、第三の紙幣束収納ボックス１５０ｃ内に収納されている第三の金種の単位紙幣束を、一束ずつ、紙幣束出金搬送路１６０に繰り出させ、第四の金種の単位紙幣束を出金すべきときは、第四の紙幣束収納ボックス１５０ｄの下部に設けられた第四の紙幣束繰り出し部１５５ｄを駆動して、第四の紙幣束収納ボックス１５０ｄ内に収納されている第四の金種の単位紙幣束を、一束ずつ、紙幣束出金搬送路１６０に繰り出させる。
【０１１６】
紙幣束出金搬送路１６０に繰り出された単位紙幣束は、紙幣束出金搬送路１６０内を、紙幣束出金口１０２に向けて送られ、紙幣束検出部１６５に達すると、紙幣束検出部１６５に設けられたＲＦＩＤリーダー１６５ａによって、結束テープＴ１に一体的に形成されたインレット中のＩＣチップに書き込まれたＲＦＩＤデータが読み取られ、ＣＰＵ３００に出力される。
【０１１７】
ＣＰＵ３００は、紙幣束検出部１６５からＲＦＩＤデータを受けると、ＲＡＭ３０２に、一束の単位紙幣束が出金された旨を書き込む。
【０１１８】
紙幣束検出部１６５を通過した単位紙幣束は、紙幣束出金口１０２に出金される。
【０１１９】
こうして、次々に、第一の紙幣束収納ボックス１５０ａ、第二の紙幣束収納ボックス１５０ｂ、第三の紙幣束収納ボックス１５０ｃあるいは第四の紙幣束収納ボックス１５０ｄから、単位紙幣束が紙幣束出金搬送路１６０に繰り出され、紙幣束検出部１６５のＲＦＩＤリーダー１６５ａによって、結束テープＴ１に一体的に形成されたインレット中のＩＣチップに書き込まれたＲＦＩＤデータが読み取られた後、紙幣束出金口１０２に出金される。
【０１２０】
その結果、ＲＡＭ３０２に書き込まれた出金された単位紙幣束の数が、オペレータによって指定された出金すべき単位紙幣束の数に等しくなると、ＣＰＵ３００は、ローラ駆動手段１８９に駆動停止信号を出力して、単位紙幣束の出金処理を終了させる。
【０１２１】
一方、第二の紙幣帯封機構２００を用いて、第一の紙幣束収納ボックス１５０ａ、第二の紙幣束収納ボックス１５０ｂ、第三の紙幣束収納ボックス１５０ｃあるいは第四の紙幣束収納ボックス１５０ｄに収納されている単位紙幣束を、第二の所定数だけ、たとえば、１０束だけ、重ね合わせ、結束テープを巻回して、第二の所定数の単位紙幣束を含む紙幣束（大束紙幣）を生成するときは、オペレータによって、キーボード３１０に、紙幣束を生成すべき紙幣の金種を特定する金種特定信号、紙幣束に含まれるべき単位紙幣束の数を指定する紙幣束数指定信号および紙幣束生成信号が入力される。
【０１２２】
キーボード３１０に入力された金種特定信号、紙幣束数指定信号および紙幣束生成信号は、ＣＰＵ３００に出力され、金種特定信号、紙幣束数指定信号および紙幣束生成信号を受けると、ＣＰＵ３００は、紙幣束を生成すべき紙幣の金種および紙幣束に含まれるべき単位紙幣束の数をＲＡＭ３０２に書き込むとともに、ローラ駆動手段１８９およびローラ駆動手段２８１に駆動信号を出力して、紙幣束出金搬送路１６０および紙幣束分岐搬送路１７０に設けられた搬送ローラ（図示せず）ならびに入金紙幣束搬送路２０５、紙幣束搬送路２１０および紙幣束搬送路２５０に設けられた搬送ローラ（図示せず）を駆動する。
【０１２３】
次いで、ＣＰＵ３００は、ゲート部材１７５を駆動するソレノイド１８７に駆動信号を出力して、紙幣束出金搬送路１６０と紙幣束分岐搬送路１４３を連通させ、ＲＡＭ３０２に書き込まれた紙幣束を生成すべき紙幣の金種にしたがって、第一の紙幣束収納ボックス１５０ａの第一の紙幣束繰り出し部１５５ａ、第二の紙幣束収納ボックス１５０ｂの第二の紙幣束繰り出し部１５５ｂ、第三の紙幣束収納ボックス１５０ｃの第三の紙幣束繰り出し部１５５ｃあるいは第四の紙幣束収納ボックス１５０ｄの第四の紙幣束繰り出し部１５５ｄを駆動し、対応する紙幣束収納ボックスに収納されている単位紙幣束を、一束ずつ、紙幣束出金搬送路１６０に繰り出す。
【０１２４】
その結果、第一の紙幣束収納ボックス１５０ａ、第二の紙幣束収納ボックス１５０ｂ、第三の紙幣束収納ボックス１５０ｃあるいは第四の紙幣束収納ボックス１５０ｄから繰り出された単位紙幣束は、一束ずつ、紙幣束出金搬送路１６０から、紙幣束分岐搬送路１４３を介して、第二の紙幣帯封機構２００の入金紙幣束搬送路２０５に送られる。
【０１２５】
第二の紙幣帯封機構２００の入金紙幣束搬送路２０５に送られた単位紙幣束は、データ読み取り部２２０に送られる。
【０１２６】
単位紙幣束が、データ読み取り部２２０に送られると、データ読み取り部２２０に設けられたＲＦＩＤリーダー２２０ａによって、単位紙幣束に巻き付けられた結束テープＴ１に一体的に形成されているインレット内のＩＣチップに書き込まれた単位紙幣束に含まれる紙幣の金種、枚数などの単位紙幣束を構成する紙幣に関するＲＦＩＤデータならびに金融機関名、支店名、紙幣処理機のＩＤデータ、オペレータの名前、帯封処理を実行した日時などの帯封処理に関するＲＦＩＤデータが読み取られ、データ読み取り部２２０からＣＰＵ３００に出力される。
【０１２７】
ＣＰＵ３００は、データ読み取り部２２０から単位紙幣束を構成する紙幣に関するＲＦＩＤデータおよび帯封処理に関するＲＦＩＤデータを受けると、単位紙幣束を構成する紙幣に関するＲＦＩＤデータおよび帯封処理に関するＲＦＩＤデータをＲＡＭ３０２に格納する。
【０１２８】
次いで、ＣＰＵ３００は、データ読み取り部２２０から入力された単位紙幣束を構成する紙幣に関するＲＦＩＤデータに基づいて、単位紙幣束を構成している紙幣の金種が、紙幣束を生成すべき金種として、オペレータによって特定され、ＲＡＭ３０２に格納された金種と一致するか否かを判別する。
【０１２９】
その結果、データ読み取り部２２０が検出した単位紙幣束を構成している紙幣の金種が、紙幣束を生成すべき金種として、オペレータによって特定され、ＲＡＭ３０２に格納された金種と一致していないと判定したときは、ＣＰＵ３００は、ＲＡＭ３０２に、帯封処理を施すべきでない単位紙幣束が検出された旨を書き込み、ディスプレイ３１５に、帯封処理を施すべきでない単位紙幣束が検出された旨を表示するとともに、ローラ駆動手段２８１に逆駆動信号を出力して、入金紙幣束搬送路２０５および紙幣束搬送路２１０に設けられた搬送ローラを逆方向に回転させて、その単位紙幣束を、紙幣束入金口２０１に送り出す。
【０１３０】
これに対して、データ読み取り部２２０が検出した単位紙幣束を構成している紙幣の金種が、紙幣束を生成すべき金種として、オペレータによって特定され、ＲＡＭ３０２に格納された金種と一致していると判定したときは、ＣＰＵ３００は、さらに、中央管理サーバ３０５にアクセスして、データ読み取り手段２２０から入力された帯封処理に関するデータが、中央管理サーバ３０５に格納されているか否かを判別する。
【０１３１】
その結果、データ読み取り手段２２０から入力された帯封処理に関するデータが、中央管理サーバ３０５に格納されていないと判別したときは、その単位紙幣束が、単位紙幣束を生成する権限がない者によって生成されたおそれが高いから、ＣＰＵ３００は、ＲＡＭ３０２に、帯封処理を施すべきでない単位紙幣束が検出された旨を書き込み、ディスプレイ３１５に、帯封処理を施すべきでない単位紙幣束が検出された旨を表示するとともに、ローラ駆動手段２８１に逆駆動信号を出力して、入金紙幣束搬送路２０５および紙幣束搬送路２１０に設けられた搬送ローラを逆方向に回転させて、その単位紙幣束を、紙幣束入金口２０１に送り出す。
【０１３２】
これに対して、ＣＰＵ３００によって、データ読み取り手段２２０から入力された帯封処理に関するデータが、中央管理サーバ３０５に格納されていると判別されたときは、その単位紙幣束は、データ読み取り部２２０から、第二の紙幣帯封ユニット２４０の紙幣束集積手段２４１に送られて、集積される。
【０１３３】
この場合には、データ読み取り部２２０に送られた単位紙幣束は、オペレータによって特定された紙幣束の金種にしたがって、第一の紙幣帯封機構１００の第一の紙幣束収納ボックス１５０ａ、第二の紙幣束収納ボックス１５０ｂ、第三の紙幣束収納ボックス１５０ｃあるいは第四の紙幣束収納ボックス１５０ｄから繰り出されたものであるから、データ読み取り部２２０から入力されたＲＦＩＤデータに基づいて判別された単位紙幣束を構成している紙幣の金種は、オペレータによって特定され、ＲＡＭ３０２に書き込まれている生成すべき紙幣束の金種と一致しており、また、データ読み取り部２２０に送られた単位紙幣束は、第一の紙幣帯封機構１００によって、現に流通している真正な紙幣を重ね合わせて、生成されたもので、単位紙幣束の結束テープＴ１に一体的に形成されたインレット中のＩＣチップに書き込まれた帯封処理に関するＲＦＩＤデータは中央管理サーバ３０５に格納されている。したがって、単位紙幣束は、データ読み取り部２２０から、第二の紙幣帯封ユニット２４０の紙幣束集積手段２４１に送られて、集積される。
【０１３４】
こうして、第一の紙幣束収納ボックス１５０ａ、第二の紙幣束収納ボックス１５０ｂ、第三の紙幣束収納ボックス１５０ｃおよび第四の紙幣束収納ボックス１５０ｄのうち、オペレータによって、紙幣束を生成すべき金種として指定された金種にしたがって決定された紙幣束収納ボックスから、紙幣束出金搬送路１６０内に、次々に、単位紙幣束が繰り出され、接続搬送路１７０、紙幣束搬送路２１０およびデータ読み取り部２２０を介して、第二の紙幣帯封ユニット２４０の紙幣束集積手段２４１内に送られて、集積された結果、データ読み取り部２２０から出力されたＲＦＩＤデータに基づいて、ＲＡＭ３０２に書き込まれた紙幣束に含まれるべき単位紙幣束の数に等しい数の単位紙幣束が、第二の紙幣帯封ユニット２４０の紙幣束集積手段２４１内に送られて、集積されたと判定したときは、ＣＰＵ３００は、第二の紙幣帯封ユニット２４０の紙幣束送り出し手段２８２に駆動信号を出力して、紙幣束集積手段２４１内に集積された第二の所定数に等しい数の単位紙幣束を、紙幣束保持手段２４２の一対の挟持部材（図示せず）の間に送り出し、さらに、第二の紙幣帯封ユニット２４０の紙幣束保持手段２４２の一対の挟持部材を相対的に移動させるモータ２８３に駆動信号を出力して、紙幣束保持手段２４２の一対の挟持部材によって、第二の所定数に等しい数の単位紙幣束が重ね合わされて形成された紙幣束を挟持させる。
【０１３５】
次いで、ＣＰＵ３００は、第二の紙幣帯封ユニット２４０の結束テープ供給部材２４３を駆動するモータ２８４に駆動信号を出力して、結束テープ供給部材２４３を駆動させ、結束テープＴ２を、紙幣束保持手段２４２の一対の挟持部材によって挟持された第二の所定数に等しい数の単位紙幣束に向けて、繰り出させる。
【０１３６】
さらに、ＣＰＵ３００は、ＲＡＭ３０２に書き込まれた紙幣に関するＲＦＩＤデータおよび帯封処理に関するＲＦＩＤデータを読み出して、駆動信号とともに、第二の紙幣帯封ユニット２４０のＲＦＩＤライター２４５を駆動するＲＦＩＤライター駆動手段２８６に出力する。
【０１３７】
その結果、第二の紙幣帯封ユニット２４０のＲＦＩＤライター２４５によって、結束テープ供給部材２４３によって繰り出された結束テープＴ２に一体的に形成されたインレット内のＩＣチップに、その紙幣束を構成している紙幣の金種、その紙幣束に含まれる単位紙幣束の数、各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、その紙幣束に帯封処理を施した日時、帯封処理を施した金融機関名、帯封処理の実行者などの帯封処理に関するＲＦＩＤデータが書き込まれる。
【０１３８】
次いで、ＣＰＵ３００は、結束テープＴ２に一体的に形成されたインレット内のＩＣチップに書き込んだ帯封処理に関するデータを、紙幣束に帯封処理を施す権限を有する金融機関によって、共同管理されている中央管理サーバ３０５に出力する。こうして、中央管理サーバ３０５に、紙幣束に巻回された結束テープＴ２に、紙幣処理機の第二の紙幣帯封機構２００によって、書き込まれた帯封処理に関するデータが格納される。
【０１３９】
ＣＰＵ３００は、第二の紙幣帯封ユニット２４０の結束テープ供給部材２４３を駆動するモータ２８４に、さらに、駆動信号を出力して、結束テープ供給部材２４３を駆動させ、結束テープＴ２を、紙幣束保持手段２４２の一対の挟持部材によって挟持された紙幣束に供給させ、次いで、第二の紙幣帯封ユニット２４０の巻き付け手段２４４を駆動する巻き付けモータ２８５に駆動信号を出力して、巻き付け手段２４４により、紙幣保持手段２４２の一対の挟持部材によって挟持された紙幣束の略中央部に、結束テープＴ２を巻き付けさせ、第二の所定数に等しい数の単位紙幣束、たとえば、１０束の単位紙幣束を含む紙幣束を生成する。
【０１４０】
以上のように、第二の所定数に等しい数の単位紙幣束、たとえば、１０束の単位紙幣束を含む紙幣束が生成されると、ＣＰＵ３００は、生成された紙幣束の数をＲＡＭ３０２に書き込む。
【０１４１】
こうして、第一の所定数に等しい枚数の紙幣、たとえば、１００枚の紙幣に帯封が付された単位紙幣束を、第二の所定数に等しい数、たとえば、１０束だけ、束ねて、帯封を付して生成された紙幣束は、紙幣束搬送路２５０を介して、紙幣束出金口２０２に出金される。
【０１４２】
同様の処理が繰り返され、ＲＡＭ３０２に書き込まれている生成された紙幣束の数が、ＲＡＭ３０２に書き込まれている生成すべき紙幣束の数に等しくなると、ＣＰＵ３００は、ローラ駆動手段１８９およびローラ駆動手段２８１に駆動停止信号を出力して、紙幣束出金搬送路１６０および紙幣束分岐搬送路１７０に設けられた搬送ローラ（図示せず）ならびに入金紙幣束搬送路２０５、紙幣束搬送路２１０および紙幣束搬送路２５０に設けられた搬送ローラ（図示せず）の駆動を停止させるとともに、ゲート部材１７５を駆動するソレノイド１８７に駆動停止信号を出力して、紙幣束出金搬送路１６０と紙幣束分岐搬送路１４３の連通を遮断して、第二の所定数に等しい数の単位紙幣束を含む紙幣束の生成処理を終了させる。
【０１４３】
本実施態様にかかる紙幣束生成機は、さらに、紙幣束入金口２０１に投入された単位紙幣束を、第二の所定数に等しい数だけ、たとえば、１０束だけ、重ね合わせて、帯封をし、第二の所定数に等しい数の単位紙幣束を含む紙幣束を生成可能に構成されており、紙幣束入金口２０１に投入された単位紙幣束を、第二の所定数に等しい数だけ、重ね合わせて、帯封をし、第二の所定数に等しい数の単位紙幣束を含む紙幣束を生成する場合には、オペレータによって、第二の所定数に等しい数の単位紙幣束を重ね合わせて、生成すべき紙幣束の金種および紙幣束に含まれるべき単位紙幣束の数を特定するとともに、生成すべき紙幣束の数を特定する紙幣束生成データと、紙幣束生成信号とが、キーボード３１０に入力される。
【０１４４】
オペレータによって入力された紙幣束データおよび紙幣束生成信号はＣＰＵ３００に出力され、オペレータによって入力された紙幣束データおよび紙幣束生成信号を受けると、ＣＰＵ３００は、オペレータによって入力された紙幣束データをＲＡＭ３０２に書き込むとともに、ローラ駆動手段１８９に駆動信号を出力して、入金紙幣束搬送路２０５、紙幣束搬送路２１０および紙幣束搬送路２５０に設けられた搬送ローラ（図示せず）を駆動する。
【０１４５】
次いで、オペレータによって、新たに生成されるべき紙幣束を構成する単位紙幣束が、紙幣束入金口２０１に投入される。
【０１４６】
紙幣束入金口２０１に投入された単位紙幣束は、入金紙幣束搬送路２０５および紙幣束搬送路２１０を介して、データ読み取り部２２０に送られ、データ読み取り部２２０に設けられたＲＦＩＤリーダー２２０ａによって、単位紙幣束に巻き付けられた結束テープＴ１に一体的に形成されているインレット内のＩＣチップに書き込まれた単位紙幣束に含まれる紙幣の金種、枚数などの単位紙幣束を構成する紙幣に関するＲＦＩＤデータならびに金融機関名、支店名、紙幣処理機のＩＤデータ、オペレータの名前、帯封処理を実行した日時などの帯封処理に関するＲＦＩＤデータが読み取られ、データ読み取り部２２０からＣＰＵ３００に出力される。
【０１４７】
ＣＰＵ３００は、データ読み取り部２２０から単位紙幣束を構成する紙幣に関するＲＦＩＤデータおよび帯封処理に関するＲＦＩＤデータを受けると、単位紙幣束を構成する紙幣に関するＲＦＩＤデータおよび帯封処理に関するＲＦＩＤデータをＲＡＭ３０２に格納する。
【０１４８】
次いで、ＣＰＵ３００は、データ読み取り部２２０から入力された単位紙幣束を構成する紙幣に関するＲＦＩＤデータに基づいて、単位紙幣束を構成している紙幣の金種が、紙幣束を生成すべき金種として、オペレータによって特定され、ＲＡＭ３０２に格納された金種と一致するか否かを判別する。
【０１４９】
その結果、データ読み取り部２２０が検出した単位紙幣束を構成している紙幣の金種が、紙幣束を生成すべき金種として、オペレータによって特定され、ＲＡＭ３０２に格納された金種と一致していないと判定したときは、ＣＰＵ３００は、ＲＡＭ３０２に、帯封処理を施すべきでない単位紙幣束が検出された旨を書き込み、ディスプレイ３１５に、帯封処理を施すべきでない単位紙幣束が検出された旨を表示するとともに、ローラ駆動手段２８１に逆駆動信号を出力して、入金紙幣束搬送路２０５および紙幣束搬送路２１０に設けられた搬送ローラを逆方向に回転させて、その単位紙幣束を、紙幣束入金口２０１に送り出す。
【０１５０】
これに対して、データ読み取り部２２０が検出した単位紙幣束を構成している紙幣の金種が、紙幣束を生成すべき金種として、オペレータによって特定され、ＲＡＭ３０２に格納された金種と一致していると判定したときは、ＣＰＵ３００は、さらに、中央管理サーバ３０５にアクセスして、データ読み取り手段２２０から入力された帯封処理に関するデータが、中央管理サーバ３０５に格納されているか否かを判別する。
【０１５１】
その結果、データ読み取り手段２２０から入力された帯封処理に関するデータが、中央管理サーバ３０５に格納されていないと判別したときは、その単位紙幣束が、単位紙幣束を生成する権限がない者によって生成されたおそれが高いから、ＣＰＵ３００は、ＲＡＭ３０２に、帯封処理を施すべきでない単位紙幣束が検出された旨を書き込み、ディスプレイ３１５に、帯封処理を施すべきでない単位紙幣束が検出された旨を表示するとともに、ローラ駆動手段２８１に逆駆動信号を出力して、入金紙幣束搬送路２０５および紙幣束搬送路２１０に設けられた搬送ローラを逆方向に回転させて、その単位紙幣束を、紙幣束入金口２０１に送り出す。
【０１５２】
これに対して、ＣＰＵ３００によって、データ読み取り手段２２０から入力された帯封処理に関するデータが、中央管理サーバ３０５に格納されていると判別されたときは、その単位紙幣束は、データ読み取り部２２０から、第二の紙幣帯封ユニット２４０の紙幣束集積手段２４１に送られて、集積される。
【０１５３】
こうして、単位紙幣束が、次々に、紙幣束入金口２０１に投入され、紙幣束入金口２０１に投入された単位紙幣束が、入金紙幣束搬送路２０５、紙幣束搬送路２１０およびデータ読み取り部２２０を介して、第二の紙幣帯封ユニット２４０の紙幣束集積手段２４１内に送られて、集積された結果、データ読み取り部２２０から出力されたＲＦＩＤデータに基づいて、ＲＡＭ３０２に書き込まれた紙幣束に含まれるべき単位紙幣束の数に等しい数の単位紙幣束が、第二の紙幣帯封ユニット２４０の紙幣束集積手段２４１内に送られて、集積されたと判定したときは、ＣＰＵ３００は、第二の紙幣帯封ユニット２４０の紙幣束送り出し手段２８２に駆動信号を出力して、紙幣束集積手段２４１内に集積された第二の所定数の等しい数の単位紙幣束を、紙幣束保持手段２４２の一対の挟持部材（図示せず）の間に、送り出し、さらに、第二の紙幣帯封ユニット２４０の紙幣束保持手段２４２の一対の挟持部材を相対的に移動させるモータ２８３に駆動信号を出力して、紙幣束保持手段２４２の一対の挟持部材によって、第二の所定数に等しい数の単位紙幣束が重ね合わされて形成された紙幣束を挟持させる。
【０１５４】
次いで、ＣＰＵ３００は、第二の紙幣帯封ユニット２４０の結束テープ供給部材２４３を駆動するモータ２８４に駆動信号を出力して、結束テープ供給部材２４３を駆動させ、結束テープＴ２を、紙幣束保持手段２４２の一対の挟持部材によって挟持された第二の所定数に等しい数の単位紙幣束に向けて、繰り出させる。
【０１５５】
さらに、ＣＰＵ３００は、ＲＡＭ３０２に書き込まれた紙幣に関するＲＦＩＤデータおよび帯封処理に関するＲＦＩＤデータを読み出して、駆動信号とともに、第二の紙幣帯封ユニット２４０のＲＦＩＤライター２４５を駆動するＲＦＩＤライター駆動手段２８６に出力する。
【０１５６】
その結果、第二の紙幣帯封ユニット２４０のＲＦＩＤライター２４５によって、結束テープ供給部材２４３によって繰り出された結束テープＴ２に一体的に形成されたインレット内のＩＣチップに、その紙幣束を構成している紙幣の金種、その紙幣束に含まれる単位紙幣束の数、各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、その紙幣束に帯封処理を施した日時、帯封処理を施した金融機関名、帯封処理の実行者などの帯封処理に関するＲＦＩＤデータが書き込まれる。
【０１５７】
次いで、ＣＰＵ３００は、結束テープＴ２に一体的に形成されたインレット内のＩＣチップに書き込んだ帯封処理に関するデータを、紙幣束に帯封処理を施す権限を有する金融機関によって、共同管理されている中央管理サーバ３０５に出力する。こうして、中央管理サーバ３０５に、紙幣束に巻回された結束テープＴ２に、紙幣処理機の第二の紙幣帯封機構２００によって、書き込まれた帯封処理に関するデータが格納される。
【０１５８】
ＣＰＵ３００は、第二の紙幣帯封ユニット２４０の結束テープ供給部材２４３を駆動するモータ２８４に、さらに、駆動信号を出力して、結束テープ供給部材２４３を駆動させ、結束テープＴ２を、紙幣束保持手段２４２の一対の挟持部材によって挟持された紙幣束に供給させ、次いで、第二の紙幣帯封ユニット２４０の巻き付け手段２４４を駆動する巻き付けモータ２８５に駆動信号を出力して、巻き付け手段２４４により、紙幣保持手段２４２の一対の挟持部材によって挟持された紙幣束の略中央部に、結束テープＴ２を巻き付けさせ、第二の所定数に等しい数の単位紙幣束、たとえば、１０束の単位紙幣束を含む紙幣束を生成する。
【０１５９】
以上のように、第二の所定数に等しい数の単位紙幣束、たとえば、１０束の単位紙幣束を含む紙幣束が生成されると、ＣＰＵ３００は、生成された紙幣束の数をＲＡＭ３０２に書き込む。
【０１６０】
こうして、第一の所定数に等しい枚数の紙幣、たとえば、１００枚の紙幣に帯封が付された単位紙幣束を、第二の所定数に等しい数、たとえば、１０束だけ、束ねて、帯封を付して生成された紙幣束は、紙幣束搬送路２５０を介して、紙幣束出金口２０２に出金される。
【０１６１】
同様の処理が繰り返され、ＲＡＭ３０２に書き込まれている生成された紙幣束の数が、ＲＡＭ３０２に書き込まれている生成すべき紙幣束の数に等しくなると、ＣＰＵ３００は、ローラ駆動手段２８１に駆動停止信号を出力して、入金紙幣束搬送路２０５、紙幣束搬送路２１０および紙幣束搬送路２５０に設けられた搬送ローラ（図示せず）の駆動を停止させ、第二の所定数に等しい数の単位紙幣束を含む紙幣束の生成処理を終了させる。
【０１６２】
本実施態様によれば、第一の紙幣帯封機構１００によって、単位紙幣束が生成される際、ＲＦＩＤライター１３５によって、単位紙幣束に巻回される結束テープＴ１に一体的に形成されたインレット内のＩＣチップに、生成されるべき単位紙幣束に含まれる紙幣の金種、枚数などの単位紙幣束を構成する紙幣に関するＲＦＩＤデータならびに金融機関名、支店名、紙幣処理機のＩＤデータ、オペレータの名前、帯封処理を実行した日時などの帯封処理に関するＲＦＩＤデータが書き込まれ、こうして書き込まれたＲＦＩＤデータは、単位紙幣束を入出金する紙幣束入出金機や、所定数の単位紙幣束を重ね合わせて、紙幣束を生成する紙幣束生成機など、単位紙幣束を処理する紙幣束処理機によって読み取ることができるから、所望のように、単位紙幣束を管理することが可能になる。
【０１６３】
また、本実施態様によれば、第二の紙幣帯封機構２００のデータ読み取り部２２０によって、単位紙幣束に巻回された結束テープＴ１に一体的に形成されたインレット内のＩＣチップに書き込まれた単位紙幣束を構成する紙幣に関するＲＦＩＤデータならびに金融機関名、支店名、紙幣処理機のＩＤデータ、オペレータの名前、帯封処理を実行した日時などの帯封処理に関するＲＦＩＤデータが読み取られ、読み取ったＲＦＩＤデータに基づいて、帯封処理をすべき単位紙幣束のみを集積し、帯封処理を施して、紙幣束を生成しているから、紙幣束入金口２０１から投入された単位紙幣束を、所定数だけ、重ねて、紙幣束を生成する場合においても、所望の単位紙幣束のみを含む紙幣束を生成することが可能になる。
【０１６４】
さらに、本実施態様によれば、第一の紙幣帯封機構１００のＲＦＩＤライター１３５によって、単位紙幣束に巻回される結束テープＴ１に一体的に形成されたインレット内のＩＣチップに、生成されるべき単位紙幣束に含まれる紙幣の金種、枚数などの単位紙幣束を構成する紙幣に関するＲＦＩＤデータならびに金融機関名、支店名、紙幣処理機のＩＤデータ、オペレータの名前、帯封処理を実行した日時などの帯封処理に関するＲＦＩＤデータが書き込まれる際、ＣＰＵ３００によって、単位紙幣束に巻回される結束テープＴ１に一体的に形成されたインレット内のＩＣチップに書き込まれた帯封処理に関するＲＦＩＤデータが、紙幣束に帯封処理を施す権限を有する金融機関によって、共同管理されている中央管理サーバ３０５に出力され、中央管理サーバ３０５に、帯封処理に関するＲＦＩＤデータが格納されるから、第二の紙幣帯封機構２００によって、所定数の単位紙幣束を含む紙幣束を生成する際、ＣＰＵ３００が、中央管理サーバ３０５にアクセスして、単位紙幣束の結束テープＴ１に一体的に形成されたインレット内のＩＣチップに書き込まれている帯封処理に関するＲＦＩＤデータが中央管理サーバ３０５に格納されているか否かを判別することによって、単位紙幣束を生成する権限がある者によって生成されたと認められる単位紙幣束のみを集積し、帯封処理を施して、紙幣束を生成することができ、同様に、単位紙幣束を入出金する紙幣束入出金機や、所定数の単位紙幣束を重ね合わせて、紙幣束を生成する紙幣束生成機など、単位紙幣束を処理する紙幣束処理機はいずれも、中央管理サーバ３０５にアクセスして、単位紙幣束の結束テープＴ１に一体的に形成されたインレット内のＩＣチップに書き込まれている帯封処理に関するＲＦＩＤデータが中央管理サーバ３０５に格納されているか否かを判別することによって、単位紙幣束を生成する権限がない者によって生成されたおそれが高い単位紙幣束を見出すことができるから、所望のように、単位紙幣束を処理することが可能になる。
【０１６５】
本発明は、以上の実施態様に限定されることなく、特許請求の範囲に記載された発明の範囲内で種々の変更が可能であり、それらも本発明の範囲内に包含されるものであることはいうまでもない。
【０１６６】
たとえば、前記実施態様においては、紙幣束生成機は、オペレータによって指定された金種の紙幣を重ね合わせて、第一の所定数の紙幣、たとえば、１００枚の紙幣を含む紙幣束を生成し、生成された紙幣束に、結束テープを巻回して、帯封処理が施された紙幣束を生成する第一の紙幣帯封機構１００と、単位紙幣束を重ね合わせて、第二の所定数の単位紙幣束、たとえば、１０束の単位紙幣束を含む紙幣束を生成し、生成された紙幣束に、結束テープを巻回して、帯封処理が施された紙幣束を生成する第二の紙幣帯封機構２００を備えているが、第二の紙幣帯封機構２００を備えていることは必ずしも必要でなく、また、第一の紙幣帯封機構１００は、生成した単位紙幣束を、金種にしたがって、第一の紙幣束収納ボックス１５０ａ、第二の紙幣束収納ボックス１５０ｂ、第三の紙幣束収納ボックス１５０ｃおよび第四の紙幣束収納ボックス１５０ｄに収納し、必要に応じて、第一の紙幣束収納ボックス１５０ａ、第二の紙幣束収納ボックス１５０ｂ、第三の紙幣束収納ボックス１５０ｃあるいは第四の紙幣束収納ボックス１５０ｄから、紙幣束出金口１０２に出金するように構成されているが、第一の紙幣帯封機構１００が、第一の紙幣束収納ボックス１５０ａ、第二の紙幣束収納ボックス１５０ｂ、第三の紙幣束収納ボックス１５０ｃおよび第四の紙幣束収納ボックス１５０ｄを備えていることも必ずしも必要でなく、紙幣束生成機は、紙幣入金口１０１にセットされた紙幣を重ね合わせて、単位紙幣束を生成し、紙幣束出金口１０２から出金できるように構成されていればよい。
【０１６７】
また、前記実施態様においては、紙幣判別部１１０によって検出されたデータに基づいて、ＣＰＵ３００は、紙幣が、真正でかつ現に流通している紙幣であるか否か、紙幣が真正でかつ現に流通している紙幣である場合には、その金種、紙幣が、１枚ずつ、搬送されているか否か、紙幣の表裏ならびに紙幣が、その短辺が紙幣の搬送方向と平行になるように搬送されているかを判別するように構成され、紙幣束生成機は、紙幣の表裏を反転させる表裏反転搬送路１１６を備えているが、ＣＰＵ３００が、紙幣判別部１１０によって検出されたデータに基づいて、紙幣の表裏を判別し、紙幣束生成機が、紙幣の表裏を反転させる表裏反転搬送路１１６を備えていることは必ずしも必要でない。
【０１６８】
さらに、前記実施態様においては、紙幣束生成機は、紙幣入金口１０１にセットされた紙幣のうち、偽造紙幣、外国紙幣、２枚以上の紙幣の全部あるいは一部が重なり合って送られていると判別された紙幣および紙幣の短辺が紙幣の搬送方向と角度をなして送られていると判別された紙幣を返却するための第一の紙幣返却口１０３と、現に流通している真正な紙幣で、かつ、１枚ずつ、その短辺が紙幣の搬送方向と平行になるように送られているが、その金種が、オペレータによって指定された金種とは異なっていると判別された紙幣および現に流通している真正な紙幣で、かつ、１枚ずつ、その短辺が紙幣の搬送方向と平行になるように送られているが、汚損レベルが所定レベルを超えた汚損紙幣であると判別された紙幣を返却する第二の紙幣返却口１０４を備えているが、第一の紙幣返却口１０３と第二の紙幣束返却口１０４を備えていることは必ずしも必要でなく、少なくとも１つの紙幣束返却口を備えていればよい。
【０１６９】
また、前記実施態様においては、一対の挟持部材１３１ａ、１３１ｂによって挟持された集積紙幣の略中央部に、結束テープＴ１を巻き付けて、単位紙幣束を生成するのに先立って、ＲＦＩＤライター１３５によって、結束テープＴ１に一体的に形成されたインレット内のＩＣチップに、生成されるべき単位紙幣束に含まれる紙幣の金種、枚数などの紙幣束を構成する紙幣に関するＲＦＩＤデータならびに金融機関名、支店名、紙幣処理機のＩＤデータ、オペレータの名前、帯封処理を実行した日時などの帯封処理に関するＲＦＩＤデータが書き込まれているが、単位紙幣束を生成するのに先立って、結束テープＴ１に一体的に形成されたインレット内のＩＣチップに、生成されるべき単位紙幣束に含まれる紙幣の金種、枚数などの紙幣束を構成する紙幣に関するＲＦＩＤデータならびに金融機関名、支店名、紙幣処理機のＩＤデータ、オペレータの名前、帯封処理を実行した日時などの帯封処理に関するＲＦＩＤデータを書き込むことは必ずしも必要でなく、一対の挟持部材１３１ａ、１３１ｂによって挟持された集積紙幣の略中央部に、結束テープＴ１を巻き付けて、単位紙幣束を生成した後に、ＲＦＩＤライター１３５によって、結束テープＴ１に一体的に形成されたインレット内のＩＣチップに、生成されるべき単位紙幣束に含まれる紙幣の金種、枚数などの紙幣束を構成する紙幣に関するＲＦＩＤデータならびに金融機関名、支店名、紙幣処理機のＩＤデータ、オペレータの名前、帯封処理を実行した日時などの帯封処理に関するＲＦＩＤデータを書き込むようにすることもできる。
【０１７０】
さらに、前記実施態様においては、紙幣束保持手段２４２の一対の挟持部材によって挟持された紙幣束の略中央部に、結束テープＴ２を巻き付けるのに先立って、ＲＦＩＤライター２４５によって、結束テープＴ２に一体的に形成されたインレット内のＩＣチップに、その紙幣束を構成している紙幣の金種、その紙幣束に含まれる単位紙幣束の数、各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、その紙幣束に帯封処理を施した日時、帯封処理を施した金融機関名、帯封処理の実行者などの帯封処理に関するＲＦＩＤデータが書き込まれているが、結束テープＴ２を巻き付けるのに先立って、ＲＦＩＤライター２４５によって、結束テープＴ２に一体的に形成されたインレット内のＩＣチップに、その紙幣束を構成している紙幣の金種、その紙幣束に含まれる単位紙幣束の数、各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、その紙幣束に帯封処理を施した日時、帯封処理を施した金融機関名、帯封処理の実行者などの帯封処理に関するＲＦＩＤデータを書き込むことは必ずしも必要でなく、紙幣束保持手段２４２の一対の挟持部材によって挟持された紙幣束の略中央部に、結束テープＴ２を巻き付けて、紙幣束を生成した後に、ＲＦＩＤライター２４５によって、結束テープＴ２に一体的に形成されたインレット内のＩＣチップに、その紙幣束を構成している紙幣の金種、その紙幣束に含まれる単位紙幣束の数、各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、その紙幣束に帯封処理を施した日時、帯封処理を施した金融機関名、帯封処理の実行者などの帯封処理に関するＲＦＩＤデータを書き込むようにしてもよい。
【０１７１】
また、前記実施態様においては、紙幣束生成機のＣＰＵ３００は、紙幣束に帯封処理を施す権限を有する金融機関によって、共同管理されている中央管理サーバ３０５に接続され、第一の紙幣帯封機構１００のＲＦＩＤライター１３５によって、単位紙幣束に巻回される結束テープＴ１に一体的に形成されたインレット内のＩＣチップに、生成されるべき単位紙幣束に含まれる紙幣の金種、枚数などの単位紙幣束を構成する紙幣に関するＲＦＩＤデータならびに金融機関名、支店名、紙幣処理機のＩＤデータ、オペレータの名前、帯封処理を実行した日時などの帯封処理に関するＲＦＩＤデータが書き込まれる際、ＣＰＵ３００によって、単位紙幣束に巻回される結束テープＴ１に一体的に形成されたインレット内のＩＣチップに書き込まれた帯封処理に関するＲＦＩＤデータが、中央管理サーバ３０５に出力されて、中央管理サーバ３０５に格納されるように構成されているが、紙幣束生成機のＣＰＵ３００が、中央管理サーバ３０５に接続されていることは必ずしも必要でない。
【０１７２】
さらに、前記実施態様においては、第一の紙幣帯封ユニット１３０の帯封処理部１３１およびＲＦＩＤライター１３５は、ＲＦＩＤライター１３５によって、結束テープＴ１に一体的に形成されたインレット内のＩＣチップにＲＦＩＤデータを書き込む際に、ＲＦＩＤライター１３５から発信される周波数の電波を遮蔽する材料によって形成されたケーシング１３６によって覆われているが、結束テープＴ１に一体的に形成されたインレット内のＩＣチップに、あらかじめ、固有のＩＤデータが書き込まれ、ＩＣチップが、書き込まれた固有のＩＤデータとともに、ＲＦＩＤライター１３５から発信された電波以外は受信しないように構成されている場合には、第一の紙幣帯封ユニット１３０の帯封処理部１３１およびＲＦＩＤライター１３５が、ＲＦＩＤライター１３５から発信される周波数の電波を遮蔽する材料によって形成されたケーシング１３６によって覆われていることは必ずしも必要でない。
【０１７３】
また、前記実施態様においては、単位紙幣束に巻回される結束テープＴ１には、結束テープＴ１用の紙を抄く際に、結束テープＴ１用の紙にインレットを埋め込む方法、結束テープＴ１にインレットを印刷する方法などによって、ＩＣチップとアンテナを含むインレットが一体的に形成され、所定数の単位紙幣束を含む紙幣束に巻回される結束テープＴ２には、結束テープＴ２用の紙を抄く際に、結束テープＴ２用の紙にインレットを埋め込む方法、結束テープＴ２にインレットを印刷する方法などによって、ＩＣチップとアンテナを含むインレットが一体的に形成されているが、結束テープＴ１、Ｔ２に、ＩＣチップとアンテナを含むインレットが一体的に形成されていることは必ずしも必要でなく、ＩＣチップとアンテナを含むインレットが一体的に形成されたラベルを、結束テープＴ１、Ｔ２に貼り付けて、インレットを結束テープに形成してもよい。
【図面の簡単な説明】
【０１７４】
【図１】図１は、本発明の好ましい実施態様にかかる紙幣束生成機の略縦断面図である。
【図２】図２は、図１に示された紙幣束生成機の制御系、検出系、駆動系、入力系および表示系を示すブロックダイアグラムである。
【図３】図３は、図１に示された紙幣束生成機の第一の紙幣帯封機構の駆動系を示すブロックダイアグラムである。
【図４】図４は、図１に示された紙幣束生成機の第二の紙幣帯封機構の駆動系を示すブロックダイアグラムである。
【符号の説明】
【０１７５】
１  ハウジング
１０  サブハウジング
２０  サブハウジング
１００  第一の紙幣帯封機構
１０１  紙幣入金口
１０２  紙幣束出金口
１０３  第一の紙幣返却口
１０４  第二の紙幣返却口
１０９  搬送路
１１０  紙幣判別部
１１０ａ  センサユニット
１１１  搬送路
１１２  分岐搬送路
１１３  ゲート部材
１１４  分岐搬送路
１１５  ゲート部材
１１６  表裏反転搬送路
１１７  ゲート部材
１１８  ローラ対
１２０  紙幣集積部
１３０  第一の紙幣帯封ユニット
１３１  帯封処理部
１３１ａ、１３１ｂ  挟持部材
１３２  結束テープ供給部材
１３５  ＲＦＩＤライター
１３６  ケーシング
１３８  紙幣束繰り出し部
１４０  紙幣束搬送路
１４１  紙幣束分岐搬送路
１４２  紙幣束分岐搬送路
１４３  紙幣束分岐搬送路
１４５  ゲート部材
１４６  ゲート部材
１４７  ゲート部材
１５０  紙幣束収納ユニット
１５０ａ  第一の紙幣束収納ボックス
１５０ｂ  第二の紙幣束収納ボックス
１５０ｃ  第三の紙幣束収納ボックス
１５０ｄ  第四の紙幣束収納ボックス
１５５ａ  第一の紙幣束繰り出し部
１５５ｂ  第二の紙幣束繰り出し部
１５５ｃ  第三の紙幣束繰り出し部
１５５ｄ  第四の紙幣束繰り出し部
１６０  紙幣束出金搬送路
１６５  紙幣束検出部
１６５ａ  ＲＦＩＤリーダー
１７０  接続搬送路
１７５  ゲート部材
１８０  第一の紙幣帯封機構の駆動系
１８１  ソレノイド
１８２  ソレノイド
１８３  ソレノイド
１８４  ソレノイド
１８５  ソレノイド
１８６  ソレノイド
１８７  ソレノイド
１８８  繰り出しローラ駆動モータ
１８９  ローラ駆動手段
１９０  モータ
１９１  紙幣集積機構
１９２  集積紙幣送り出し手段
１９３  モータ
１９４  モータ
１９５  巻き付けモータ
１９６  ＲＦＩＤライター駆動手段
１９７  ソレノイド
１９８  ソレノイド
２００  第二の紙幣帯封機構
２０１  紙幣束入金口
２０２  紙幣束出金口
２０５  入金紙幣束搬送路
２１０  紙幣束搬送路
２２０  データ読み取り部
２２０ａ  ＲＦＩＤリーダー
２２０ｂ  ケーシング
２４０  第二の紙幣帯封ユニット
２４１  紙幣束集積手段
２４２  紙幣束保持手段
２４３  結束テープ供給部材
２４４  巻き付け手段
２４５  ＲＦＩＤライター
２４６  ケーシング
２５０  紙幣束搬送路
２８０  第二の紙幣帯封機構の駆動系
２８１  ローラ駆動手段
２８２  紙幣束送り出し手段
２８３  モータ
２８４  モータ
２８５  巻き付けモータ
２８６  ＲＦＩＤライター駆動手段
３００  ＣＰＵ
３０１  ＲＯＭ
３０２  ＲＡＭ
３０３  時計
３０５  中央管理サーバ
３１０  キーボード
３１５  ディスプレイ
【図１】
2008046752.tif 000003
【図２】
2008046752.tif 000004
【図３】
2008046752.tif 000005
【図４】
2008046752.tif 000006